(57)【要約】【課題】鮮鋭化領域が複数ある場合や、これらの領域が重なった場合でも、ラインバッファを増やすことなく、またメモリコントローラの制御を複雑にする必要がない、画像を鮮鋭化処理する映像信号処理装置を提供する。【解決手段】多階調の画像データに空間フィルタを用いて演算することにより、画像を変換する映像信号処理装置であって、変換領域の端部には端部用の空間フィルタを用いて変換演算する。【選択図】図１
2008129808.tif 000002
【特許請求の範囲】
【請求項１】
多階調の画像データに空間フィルタを用いて演算することにより、画像を変換する映像信号処理装置であって、
変換領域の端部には端部用の空間フィルタを用いて変換演算することを特徴とする映像信号処理装置。
【請求項２】
前記空間フィルタを用いた演算において、変換効果として、主に画像の鮮鋭度を強める（シャープ化）鮮鋭化と、画像の鮮鋭度を弱める（ぼかし）鮮鋭化を実現することを特徴とする請求項１記載の映像信号処理装置。
【請求項３】
前記端部用の空間フィルタのフィルタ係数を求める場合、該空間フィルタを適用する画像において前記空間フィルタと同サイズの画像を演算する際、画像端部において前記変換領域外の画素が必要になるため、前記変換領域外の画素に前記変換領域内の隣接画素のデータを使用し、使用元となった画素に対応する前記端部用の空間フィルタのフィルタ係数に、使用先となった画素の係数に応じた重み付けをし、前記変換領域外の画素に対応する空間フィルタのフィルタ係数はゼロにすることによって決定することを特徴とする請求項１又は２記載の映像信号処理装置。
【請求項４】
該空間フィルタを適用する画像端部において前記変換領域内の隣接画素のデータを使用する使用元の画素は、使用先の画素の位置から前記変換領域内のデータを優先的に選択し、優先順位の高い方から、水平方向、垂直方向、斜め方向の順にすることを特徴とする請求項３記載の映像信号処理装置。
【請求項５】
前記端部用の空間フィルタは、前記変換領域の左上端、上端、右上端、右端、右下端、下端、左下端、左端の各々に用意されていることを特徴とする請求項１乃至４のいずれか１項に記載の映像信号処理装置。
【請求項６】
前記端部用の空間フィルタは、前記変換領域に他の変換領域が重なっている場合、前記他の変換領域の１画素外側で、かつ、前記変換領域に含まれる境界領域に対しても用意されることを特徴とする請求項５記載の映像信号処理装置。
【請求項７】
前記境界領域に対して用意される端部用の空間フィルタは、前記境界領域の上辺部、左辺部、下辺部、右辺部の各々に対して前記他の変換領域に対する位置関係に応じてそれぞれ用意されることを特徴とする請求項６記載の映像信号処理装置。
【請求項８】
前記境界領域に対して用意される端部用の空間フィルタは、前記境界領域の上辺部、左辺部、下辺部、右辺部の各々に対して前記他の変換領域に対する位置関係に応じて１つの簡略化したものが用意されていることを特徴とする請求項７記載の映像信号処理装置。
【請求項９】
前記端部用の空間フィルタは、前記境界領域が前記変換領域の端部にある場合に対しても用意されることを特徴とする請求項６乃至８のいずれか１項に記載の映像信号処理装置。
【請求項１０】
前記境界領域が前記変換領域の端部にある場合に対しても用意される端部用の空間フィルタは、前記境界領域の上辺部、左辺部、下辺部、右辺部の各々に対して前記他の変換領域に対する位置関係に応じてそれぞれ用意されることを特徴とする請求項９記載の映像信号処理装置。
【請求項１１】
前記境界領域が前記変換領域の端部にある場合に対しても用意される端部用の空間フィルタは、前記境界領域の上辺部、左辺部、下辺部、右辺部の各々に対して、前記他の変換領域に対する位置関係に応じて１つの簡略化したものが用意されていることを特徴とする請求項１０記載の映像信号処理装置。
【請求項１２】
請求項１乃至１１のいずれか１項に記載の映像信号処理装置と、
表示手段とを備え、
前記表示手段によって表示される画像を前記映像信号処理装置によって変換処理することを特徴とする表示装置。
【請求項１３】
請求項１乃至１１のいずれか１項に記載の映像信号処理装置と、
表示手段とを備え、
前記表示手段によって表示される画像を前記映像信号処理装置によって変換処理することを特徴とする携帯通信端末。
【発明の詳細な説明】
【技術分野】
【０００１】
本発明は、画像を変換処理する映像信号処理装置に関する。携帯電話端末における映像信号処理装置に関する。本発明は、このような映像信号処理装置を備える表示装置、特に、携帯通信端末にも関する。
【背景技術】
【０００２】
ある画像に対して、その鮮鋭度（シャープネス）を向上させる一般的な方法として、着目画素に対して、その周囲のＮ×Ｎ（Ｎは３以上の奇数）画素で構成された空間フィルタを使用する方法がある。
【０００３】
図１は、このような鮮鋭化方法における処理の概念図である。入力画像Ｘ（Ａ）に空間フィルタ１によってフィルタ処理をしたもの（Ｂ）を、減算器２によって入力画像Ｘから減算してエッジ成分（Ｃ）を得る。このようにして得られたエッジ成分に対してしきい値判定部３によってしきい値判定（Ｄ）を行い、ゲイン調整部４によってゲイン調整して、乗算器５によってエッジ成分と乗算すると、しきい値以上の部分のみが強調される（Ｅ）。これを加算器６によって元の入力画像Ｘと加算すると、エッジ強調された出力画像Ｙ（Ｆ）が得られる。ゲイン調整の値を上げることで、鮮鋭度を上げることができる。
【０００４】
上述したような空間フィルタを使用した鮮鋭化処理では、着目画素が端部にある場合、存在しない画素をどのように補間処理するかといった課題がある。
【０００５】
このような課題を解決するために、特許文献１では、存在しない画素には、最も近い画素を複写するという技術が開示されている。
【０００６】
図３１は、このような特許文献１の技術の概念図である。着目画素がＸ１１である場合、Ｘ１１の上、左、左上の画素にはＸ１１を、Ｘ１１の右上の画素にはＸ１２を、Ｘ１１の左下の画素にはＸ２１を複写する。
【０００７】
図３２は、このような技術を実現する鮮鋭化処理装置の概念を示すブロック図である。メモリコントローラで画像メモリの読み出しタイミングを制御することで、画像メモリから、１，１，２，３，．．．，ｎ−１，ｎ，ｎ（ｎは２以上の偶数）列の順で、合計（ｎ＋２）回データを読み出している。この制御により、画像メモリの左端、右端、それぞれの列の補間を実現している。
【０００８】
また、エッジ強調処理部内のラインバッファコントローラでラインバッファの読み出しタイミングを制御することで、ラインバッファメモリから１，１，２，３，．．．，ｍ−１，ｍ，ｍ（ｍは２以上の偶数）列の順で、合計（ｍ＋２）回データを読み出している。この制御により、画像メモリの上端、下端、それぞれの列の補間を実現している。
【０００９】
これらのような処理により、特許文献１に記載の技術では、（ｎ，ｍ）サイズの画像メモリに対して、見かけ上（ｎ＋２，ｍ＋２）サイズの画像メモリとみなすような読み出し処理を行うことで、空間フィルタを使用した鮮鋭化処理の課題である、端部の画素補間を実現している。
【００１０】
【特許文献１】特開２００６−９４１６０号公報
【発明の開示】
【発明が解決しようとする課題】
【００１１】
しかしながら、特許文献１に記載されているのは、画像メモリ全体に対して鮮鋭化処理を行う場合の処理についてであり、図３３に示すような画像メモリの一部領域のみを鮮鋭化する場合については記載がない。図３３に示すような場合について、仮に特許文献１の処理で実現しようとすると、メモリコントローラの制御およびラインバッファコントローラの制御が複雑になり、ラインバッファの本数およびラインバッファの段数を増やす必要が生じる。
【００１２】
例えば、ラインバッファの段数に着目して考えた場合、図３４に示すように、図３２におけるγ変換処理部からラインバッファへのデータ書き込み数と、ラインバッファからシフトレジスタへのデータ書き込み数とが一致している必要がある（つまり、ラインバッファに入力するデータ数と、ラインバッファが出力するデータ数とが一致している必要がある）。
【００１３】
特許文献１に記載の技術においては、エッジ強調処理部内のラインバッファコントローラでラインバッファの読み出しタイミングを処理することで、図３５に示すように、ラインバッファにｍ回書き込むのに対して、ラインバッファメモリから、１，１，２，３，．．．，ｍ−１，ｍ，ｍ行の順で、合計（ｍ＋２）回読み出している。これは、垂直ブランキング期間などの、画像データが無効な期間において二度読みすることで対応することができる。
【００１４】
しかしながら、図３３のような鮮鋭化領域の場合は、１，２，３，．．．，ｍ−１，ｍの途中で二度読みを２回増やす必要がある。この方法では、図３２のメモリコントローラの読み出しタイミングを変更するか、ラインバッファの段数を増やすことが必要になる。
【００１５】
さらに、図３６に示すような、鮮鋭化する領域が複数あり、かつそれぞれが重なっている場合などには、特許文献１の技術で実現しようとすると、より一層制御が複雑になってしまう。
【００１６】
このような課題は、スペースや処理能力が限られた携帯通信端末などでは、一層深刻な問題となる。
【００１７】
上述したことを鑑み、本発明は、鮮鋭化領域が複数ある場合や、これらの領域が重なった場合でも、ラインバッファを増やすことなく、またメモリコントローラの制御を複雑にする必要がない、画像を変換処理する映像信号処理装置を提供することを目的とする。
【００１８】
本発明は、このような映像信号処理装置を備える表示装置と、携帯通信端末も提供する。
【課題を解決するための手段】
【００１９】
上記解決課題に鑑みて鋭意研究の結果、本発明者は、変換領域の端部には専用に用意された空間フィルタのパターンを適用する映像信号処理装置に想到した。
【００２０】
すなわち、本発明の映像信号処理装置は、多階調の画像データに空間フィルタを用いて演算することにより、画像を変換する映像信号処理装置であって、変換領域の端部には端部用の空間フィルタを用いて変換演算することを特徴とする。
【００２１】
前記空間フィルタを用いた演算において、変換効果として、主に画像の鮮鋭度を強める（シャープ化）鮮鋭化と、画像の鮮鋭度を弱める（ぼかし）鮮鋭化を実現するようにしてもよい。
【００２２】
好適には、前記端部用の空間フィルタのフィルタ係数を求める場合、該空間フィルタを適用する画像において前記空間フィルタと同サイズの画像を演算する際、画像端部において前記変換領域外の画素が必要になるため、前記変換領域外の画素に前記変換領域内の隣接画素のデータを使用し、使用元となった画素に対応する前記端部用の空間フィルタのフィルタ係数に、使用先となった画素の係数に応じた重み付けをし、前記変換領域外の画素に対応する空間フィルタのフィルタ係数はゼロにすることによって決定する。
【００２３】
好適には、該空間フィルタを適用する画像端部において前記変換領域内の隣接画素のデータを使用する使用元の画素は、使用先の画素の位置から前記変換領域内のデータを優先的に選択し、優先順位の高い方から、水平方向、垂直方向、斜め方向の順にする。
【００２４】
好適には、前記端部用の空間フィルタは、前記変換領域の左上端、上端、右上端、右端、右下端、下端、左下端、左端の各々に用意する。
【００２５】
好適には、前記端部用の空間フィルタは、前記変換領域に他の変換領域が重なっている場合、前記他の変換領域の１画素外側で、かつ、前記変換領域に含まれる境界領域に対しても用意する。
【００２６】
好適には、前記境界領域に対して用意される端部用の空間フィルタは、前記境界領域の上辺部、左辺部、下辺部、右辺部の各々に対して前記他の変換領域に対する位置関係に応じてそれぞれ用意する。
【００２７】
前記境界領域に対して用意される端部用の空間フィルタは、前記境界領域の上辺部、左辺部、下辺部、右辺部の各々に対して前記他の変換領域に対する位置関係に応じて１つの簡略化したものを用意してもよい。
【００２８】
好適には、前記端部用の空間フィルタは、前記境界領域が前記変換領域の端部にある場合に対しても用意する。
【００２９】
好適には、前記境界領域が前記変換領域の端部にある場合に対しても用意される端部用の空間フィルタは、前記境界領域の上辺部、左辺部、下辺部、右辺部の各々に対して前記他の変換領域に対する位置関係に応じてそれぞれ用意する。
【００３０】
前記境界領域が前記変換領域の端部にある場合に対しても用意される端部用の空間フィルタは、前記境界領域の上辺部、左辺部、下辺部、右辺部の各々に対して、前記他の変換領域に対する位置関係に応じて１つの簡略化したものを用意してもよい。
【００３１】
本発明の表示装置は、このような映像信号処理装置と、表示手段とを備え、前記表示手段によって表示される画像を前記映像信号処理装置によって変換処理することを特徴とする。
【００３２】
本発明の携帯通信端末は、このような映像信号処理装置と、表示手段とを備え、前記表示手段によって表示される画像を前記映像信号処理装置によって変換処理することを特徴とする。
【発明の効果】
【００３３】
本発明によれば、鮮鋭化領域が複数ある場合や、これらの領域が重なった場合でも、ラインバッファを増やすことなく、またメモリコントローラの制御を複雑にする必要がない映像信号処理装置が提供される。
【発明を実施するための最良の形態】
【００３４】
以下に、添付図面を参照して、本発明による実施形態について説明する。なお、本発明は、実施形態に限定されるものではなく、本発明の本質的な範囲を逸脱しない限り、構成の変形・追加・代用が可能であることはもちろんである。例えば、本発明の実施例において、空間フィルタとして３×３サイズ、係数が全て１／９の基本フィルタを用いて記載するが、基本フィルタのサイズはこれに限るものではない。画像処理効果として、鮮鋭度を強める（シャープ化）鮮鋭化と、画像の鮮鋭度を弱める（ぼかし）鮮鋭化が実現できる。また、係数が異なっていても構わない。係数が異なっている場合には、エンボス加工など様々な効果が期待できる。
【００３５】
入力画像Ｘ（Ａ）から、入力画像Ｘに空間フィルタによってフィルタ処理をしたもの（Ｂ）を減算してエッジ成分（Ｃ）を得る。このようにして得られたエッジ成分に対してしきい値判定（Ｄ）を行い、ゲイン調整してエッジ成分と乗算すると、しきい値以上の部分のみが強調される（Ｅ）。これを元の入力画像Ｘと加算すると、エッジ強調された出力画像Ｙ（Ｆ）が得られる。ゲイン調整の値を上げることで、鮮鋭度を上げることができる。
【００３６】
従来技術では、鮮鋭化処理を行う際に画像に用いる空間フィルタは、画像のどの領域に対しても同じものを用いていた。本発明では、画像端部において用いる空間フィルタのフィルタ係数の重み付けを変える。
【００３７】
まず、第１の実施形態として、画面全体において鮮鋭化処理する場合について説明する。図２は、画像端部に用いる空間フィルタのフィルタ係数を決定する方法を説明する図である。例として、図２（ａ）左側に示すような６×６画素の画像の全画面を図２（ａ）右側に示す３×３サイズの空間フィルタによってフィルタ処理することを考える。このような画像において、画像端部とは、図２（ｂ）左側に示す左上端部、図２（ｃ）左側に示す上端部、図２（ｄ）左側に示す右上端部、図２（ｅ）左側に示す左端部、図２（ｆ）左側に示す右端部、図２（ｇ）左側に示す左下端部、図２（ｈ）左側に示す下端部、図２（ｉ）左側に示す右下端部の８通りが存在する。これらの画像端部に用いる各々の空間フィルタのフィルタ係数を、以下のように決定する。
【００３８】
まず、鮮鋭化領域外（画面外）の画素に、鮮鋭化領域内（処理領域内）の隣接画素のデータを使用する。この際の使用元の優先順位は、使用先の画素の位置から鮮鋭化領域内（処理領域内）のデータを優先的に使用し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図２（ｂ）〜図２（ｉ）の中央に示すようになる。
【００３９】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にし、使用先の数が３つの場合、フィルタ係数を４倍にする。このような処理を図２（ａ）右側の基本空間フィルタに行うと、図２（ｂ）〜図２（ｉ）の右側に示すようになる。このようにして画像端部に用いる空間フィルタが算出される。
【００４０】
例えば、図２（ａ）左側に示すような６×６画素の画像の全画面を空間フィルタ処理する場合、まず、映像信号の注目画素の位置情報を計算する。そしてこの注目画素が処理画像のどの部分にあるか、すなわち、左上端部、上端部、右上端部、左端部、右端部、左下端部、下端部、右下端部、残りの部、のいずれにあるかを判定する。判定された部分に応じて、上記のように算出した空間フィルタを選択的に使用し、映像信号を処理する。
【００４１】
このような処理は、図１において、入力画像Ｘ（Ａ）に空間フィルタ１によってフィルタ処理をしたもの（Ｂ）を得ることに相当する。この後、（Ｂ）を減算器２によって入力画像Ｘから減算してエッジ成分（Ｃ）を得る。このようにして得られたエッジ成分に対してしきい値判定部３によってしきい値判定（Ｄ）を行い、ゲイン調整部４によってゲイン調整して、乗算器５によってエッジ成分と乗算すると、しきい値以上の部分のみが強調される（Ｅ）。これを加算器６によって元の入力画像Ｘと加算すると、エッジ強調された出力画像Ｙ（Ｆ）が得られる。ゲイン調整パラメータの値を調整すれば画像の鮮鋭度を強める（シャープ化）鮮鋭化や画像の鮮鋭度を弱める（ぼかし）鮮鋭化が可能である。
【００４２】
以下、第１の実施形態における空間フィルタ処理の手順をより詳細に説明する。
ここで、以下の説明のため、画像における座標系の定義を説明しておく。図３は、座標系の定義を説明する図である。画面水平方向の軸をＸ、垂直方向の軸をＹとする。左上隅を原点（０，０）とする。画面の幅をＷ、画面の高さをＨとする。右下隅を（Ｗ−１，Ｈ−１）とする。画面内の画素の座標を（Ｘ，Ｙ）とする。ただし、０≦Ｘ≦Ｗ−１、０≦Ｙ≦Ｈ−１とする。
【００４３】
次に、フィルタパターンの定義を説明する。図４は、フィルタパターンの定義を説明する図である。基本フィルタの各係数がａ，ｂ，ｃ，ｄ，ｅ，ｆ，ｇ，ｈ，ｉで表されるとき、図に示す通りに係数の変形を行ったものをそれぞれフィルタ１，２，．．．，１４で表すものとする。上述した図２（ｂ）〜図２（ｉ）右側に示す空間フィルタは、それぞれ、図４のフィルタ１〜８に対応する。
【００４４】
図５は、第１の実施形態において処理する画面を示す図である。この図に示す画面全体に空間フィルタ処理を行う。注目画素Ｐの座標を（Ｘ，Ｙ）とする。注目画素Ｐが画面の左上端部（０，０）にある場合、図４のフィルタ１を用い、上端部（Ｘ，０）（ただし、０＜Ｘ＜Ｗ−１）にある場合、フィルタ２を用い、右上端部（Ｗ−１，０）にある場合、フィルタ３を用い、左端部（０，Ｙ）（ただし、０＜Ｙ＜Ｈ−１）にある場合、フィルタ４を用い、右端部（Ｗ−１，Ｙ）（ただし、０＜Ｙ＜Ｈ−１）にある場合、フィルタ５を用い、左下端部（０，Ｈ−１）にある場合、フィルタ６を用い、下端部（Ｘ，Ｈ−１）（ただし、０＜Ｘ＜Ｗ−１）にある場合、フィルタ７を用い、右下端部（Ｗ−１，Ｈ−１）にある場合、フィルタ８を用い、それ以外の場合、基本フィルタを用いる。
【００４５】
図６は、このような空間フィルタ処理の手順を示すフローチャートである。ステップｓ６０１で、注目画素Ｐが画面の上端かどうかを判定する。Ｙ＝０の場合、そうであると判定してステップｓ６０２に進み、そうでない場合、ステップｓ６０３に進む。ステップｓ６０２で、注目画素Ｐが画面の左端かどうかを判定する。Ｘ＝０の場合、そうであると判定してステップｓ６０４に進み、そうでない場合、ステップｓ６０５に進む。ステップｓ６０４で、注目画素Ｐは画面の左上端部にあると決定し、図４のフィルタ１を用いて空間フィルタ処理を行う。ステップｓ６０５で、注目画素Ｐが画面の右端であるかどうかを判定する。Ｘ＝Ｗ−１の場合、そうであると判定してステップｓ６０６に進み、そうでない場合、ステップｓ６０７に進む。ステップｓ６０６で、注目画素Ｐは画面の右上端部にあると決定し、図４のフィルタ３を用いて空間フィルタ処理を行う。ステップｓ６０７で、注目画素Ｐは画面の上端部にあると決定し、図４のフィルタ２を用いて注目画素Ｐの空間フィルタ処理を行う。ステップｓ６０３で、注目画素Ｐが画面の下端かどうかを判定する。Ｙ＝Ｈ−１の場合、そうであると判定してステップｓ６０８に進み、そうでない場合、ステップｓ６０９に進む。ステップｓ６０８で、注目画素Ｐが画面の左端かどうかを判定する。Ｘ＝０の場合、そうであると判定してステップｓ６１０に進み、そうでない場合、ステップｓ６１１に進む。ステップｓ６１０で、注目画素Ｐは画面の左下端部にあると決定し、図４のフィルタ６を用いて空間フィルタ処理を行う。ステップｓ６１１で、注目画素Ｐが画面の右端かどうかを判定する。Ｘ＝Ｗ−１の場合、そうであると判定してステップｓ６１２に進み、そうでない場合、ステップｓ６１３に進む。ステップｓ６１２で、注目画素Ｐは画面の右下端部にあると決定し、図４のフィルタ８を用いて空間フィルタ処理を行う。ステップｓ６１３で、注目画素Ｐは画面の下端部にあると決定し、図４のフィルタ７を用いて空間フィルタ処理を行う。ステップｓ６０９で、注目画素Ｐが画面の左端かどうかを判定する。Ｘ＝０の場合、そうであると判定してステップｓ６１４に進み、そうでない場合、ステップｓ６１５に進む。ステップｓ６１４で、注目画素Ｐは画面の左端部にあると決定し、図４のフィルタ４を用いて空間フィルタ処理を行う。ステップｓ６１５で、注目画素Ｐが画面の右端であるかどうかを判定する。Ｘ＝Ｗ−１の場合、そうであると判定してステップｓ６１６に進み、そうでない場合、ステップｓ６１７に進む。ステップｓ６１６で、注目画素Ｐは画面の右端部にあると決定し、図４のフィルタ５を用いて空間フィルタ処理を行う。ステップｓ６１７で、注目画素Ｐは画面の端部にはないと決定し、図４の基本フィルタを用いて空間フィルタ処理を行う。
【００４６】
第２の実施形態として、画面の一部の領域において鮮鋭化処理する場合について説明する。基本的な考え方は、第１の実施形態の場合と同じである。第１の実施形態の画像端部に用いた空間フィルタを、鮮鋭化処理する処理領域の端部に用いる。この第２の実施形態でも、まず、映像信号の注目画素の位置情報を計算する。そしてこの注目画素が処理領域の内部にあるかどうかを判断する。処理領域の内部にある場合、この注目画素が、処理領域のどの部分にあるか、すなわち、左上端部、上端部、右上端部、左端部、右端部、左下端部、下端部、右下端部、残りの部、のいずれにあるかを判定する。判定された部分に応じて、上記のように算出した空間フィルタを選択的に使用し、映像信号を処理する。
【００４７】
図７は、第２の実施形態において処理する画面を示す図である。この図に示す処理領域Ｕにのみ空間フィルタ処理を行う。処理領域Ｕの左上隅の座標を（Ｌ，Ｔ）とし、右下隅の座標を（Ｒ，Ｂ）とする。注目画素Ｐが処理領域Ｕの左上端部（Ｌ，Ｔ）にある場合、図４のフィルタ１を用い、上端部（Ｘ，Ｔ）（ただし、Ｌ＜Ｘ＜Ｒ）にある場合、フィルタ２を用い、右上端部（Ｒ，Ｔ）にある場合、フィルタ３を用い、左端部（Ｌ，Ｙ）（ただし、Ｔ＜Ｙ＜Ｂ）にある場合、フィルタ４を用い、右端部（Ｒ，Ｙ）（ただし、Ｔ＜Ｙ＜Ｂ）にある場合、フィルタ５を用い、左下端部（Ｌ，Ｂ）にある場合、フィルタ６を用い、下端部（Ｘ，Ｂ）（ただし、Ｌ＜Ｘ＜Ｒ）にある場合、フィルタ７を用い、右下端部（Ｒ，Ｂ）にある場合、フィルタ８を用い、それ以外の場合、基本フィルタを用いる。
【００４８】
図８は、このような空間フィルタ処理の手順を示すフローチャートである。ステップｓ８０１で、注目画素Ｐが処理領域Ｕの内部であるかどうかを判定する。（Ｌ≦Ｘ≦Ｒ）ＡＮＤ（Ｔ≦Ｙ≦Ｂ）の場合、そうであると判定してステップｓ８０２に進み、そうでない場合、鮮鋭化処理を行わないので処理を終了する。ステップｓ８０２で、注目画素Ｐが処理領域Ｕの上端かどうかを判定する。Ｙ＝Ｔの場合、そうであると判定してステップｓ８０３に進み、そうでない場合、ステップｓ８０４に進む。ステップｓ８０３で、注目画素Ｐが処理領域Ｕの左端かどうかを判定する。Ｘ＝Ｌの場合、そうであると判定してステップｓ８０５に進み、そうでない場合、ステップｓ８０６に進む。ステップｓ８０５で、注目画素Ｐは処理領域Ｕの左上端部にあると決定し、図４のフィルタ１を用いて空間フィルタ処理を行う。ステップｓ８０６で、注目画素Ｐが処理領域Ｕの右端であるかどうかを判定する。Ｘ＝Ｒの場合、そうであると判定してステップｓ８０７に進み、そうでない場合、ステップｓ８０８に進む。ステップｓ８０７で、注目画素Ｐは処理領域Ｕの右上端部にあると決定し、図４のフィルタ３を用いて空間フィルタ処理を行う。ステップｓ８０８で、注目画素Ｐは処理領域Ｕの上端部にあると決定し、図４のフィルタ２を用いて注目画素Ｐの空間フィルタ処理を行う。ステップｓ８０４で、注目画素Ｐが処理領域Ｕの下端かどうかを判定する。Ｙ＝Ｂの場合、そうであると判定してステップｓ８０９に進み、そうでない場合、ステップｓ８１０に進む。ステップｓ８０９で、注目画素Ｐが処理領域Ｕの左端かどうかを判定する。Ｘ＝Ｌの場合、そうであると判定してステップｓ８１１に進み、そうでない場合、ステップｓ８１２に進む。ステップｓ８１１で、注目画素Ｐは処理領域Ｕの左下端部にあると決定し、図４のフィルタ６を用いて空間フィルタ処理を行う。ステップｓ８１２で、注目画素Ｐが処理領域Ｕの右端かどうかを判定する。Ｘ＝Ｒの場合、そうであると判定してステップｓ８１３に進み、そうでない場合、ステップｓ８１４に進む。ステップｓ８１３で、注目画素Ｐは処理領域Ｕの右下端部にあると決定し、図４のフィルタ８を用いて空間フィルタ処理を行う。ステップｓ８１４で、注目画素Ｐは処理領域Ｕの下端部にあると決定し、図４のフィルタ７を用いて空間フィルタ処理を行う。ステップｓ８１０で、注目画素Ｐが処理領域Ｕの左端かどうかを判定する。Ｘ＝Ｌの場合、そうであると判定してステップｓ８１５に進み、そうでない場合、ステップｓ８１６に進む。ステップｓ８１５で、注目画素Ｐは処理領域Ｕの左端部にあると決定し、図４のフィルタ４を用いて空間フィルタ処理を行う。ステップｓ８１６で、注目画素Ｐが処理領域Ｕの右端であるかどうかを判定する。Ｘ＝Ｒの場合、そうであると判定してステップｓ８１７に進み、そうでない場合、ステップｓ８１８に進む。ステップｓ８１７で、注目画素Ｐは処理領域Ｕの右端部にあると決定し、図４のフィルタ５を用いて空間フィルタ処理を行う。ステップｓ８１８で、注目画素Ｐは処理領域Ｕの端部にはないと決定し、図４の基本フィルタを用いて空間フィルタ処理を行う。
【００４９】
第３の実施形態として、画面の一部の領域とそれ以外の領域に対して別々の鮮鋭化処理を行う場合について説明する。図９は、第３の実施形態において処理する画面を示す図である。この図に示す処理領域Ｕと、それ以外の処理領域Ｌに対して別々の空間フィルタ処理を行う。ここで処理領域Ｕに対する空間フィルタ処理を優先すると、処理領域Ｌは画面領域全体、処理領域Ｕは処理領域Ｌに重なり合っているとも言える。処理領域Ｕの最小サイズは３×３画素とした場合を例に説明する。処理領域Ｕの左上隅の座標を（Ｌ，Ｔ）とし、右下隅の座標を（Ｒ，Ｂ）とする。このような場合、処理領域Ｕと、処理領域Ｕの一画素外側の境界領域と、境界領域を除く処理領域Ｌの３通りの場合を考える。この第３の実施形態では、まず、映像信号の注目画素の位置情報を計算する。そしてこの注目画素が処理領域Ｕ、境界領域、境界領域以外の処理領域Ｌのいずれにあるかを判断する。処理領域Ｕまたは境界領域を除く処理領域Ｌの場合、その領域内で左上端部、上端部、右上端部、左端部、右端部、左下端部、下端部、右下端部、残りの部、のいずれにあるかを判定する。境界領域の場合、上辺部分、下辺部分、左辺部分、右辺部分、のいずれにあるかを判定し、さらにその領域内で左上端部、上端部、右上端部、左端部、右端部、左下端部、下端部、右下端部、残りの部、のいずれにあるかを判定する。判定された部分に応じて、空間フィルタを選択的に使用し、映像信号を処理する。
【００５０】
注目画素Ｐが処理領域Ｕの内部にある場合、上述した第２の実施形態の場合と同様に処理する。注目画素Ｐの座標を（Ｘ，Ｙ）とする。注目画素Ｐが処理領域Ｕの左上端部（Ｌ，Ｔ）にある場合、処理領域Ｕ用の図４のフィルタ１を用い、上端部（Ｘ，Ｔ）（ただし、Ｌ＜Ｘ＜Ｒ）にある場合、処理領域Ｕ用のフィルタ２を用い、右上端部（Ｒ，Ｔ）にある場合、処理領域Ｕ用のフィルタ３を用い、左端部（Ｌ，Ｙ）（ただし、Ｔ＜Ｙ＜Ｂ）にある場合、処理領域Ｕ用のフィルタ４を用い、右端部（Ｒ，Ｙ）（ただし、Ｔ＜Ｙ＜Ｂ）にある場合、処理領域Ｕ用のフィルタ５を用い、左下端部（Ｌ，Ｂ）にある場合、処理領域Ｕ用のフィルタ６を用い、下端部（Ｘ，Ｂ）（ただし、Ｌ＜Ｘ＜Ｒ）にある場合、処理領域Ｕ用のフィルタ７を用い、右下端部（Ｒ，Ｂ）にある場合、処理領域Ｕ用のフィルタ８を用い、それ以外の場合、処理領域Ｕ用の基本フィルタを用いる。
【００５１】
注目画素Ｐが境界領域にある場合、注目画素Ｐが境界領域の上辺部分、下辺部分、左辺部分、右辺部分で、使用する空間フィルタを使い分ける。図１０は、境界領域の上辺部分、すなわち、処理領域Ｕの一画素上の部分に用いる空間フィルタのフィルタ係数を決定する方法を説明する図である。また図の左側と中央左側の１〜８の数字は３×３のフィルタを求めるために付けたナンバーであり、注目画素Ｐは５に相当する。例として境界領域の上辺部について説明する。ただし、境界領域が画面の端部に無い場合について説明する。実施形態１の図２での説明と同様に、３×３サイズの空間フィルタによってフィルタ処理することを考える。このような境界領域の上辺部分の空間フィルタ処理では、注目画素Ｐの位置は、図１０（ａ）左側に示すような処理領域Ｕの左上隅の画素の左上、図１０（ｂ）左側に示すような処理領域Ｕの左上隅の画素の上、図１０（ｅ）左側に示すような処理領域Ｕの右上隅の画素の右上、図１０（ｄ）左側に示すような処理領域Ｕの右上隅の画素の上、図１０（ｃ）左側に示すような処理領域Ｕの左上隅および右上隅以外の画素の上、の５通りが存在する。これらの各位置に用いる各々の空間フィルタのフィルタ係数を、以下のように決定する。
【００５２】
まず、鮮鋭化領域外（処理領域Ｕと画面外）の画素に、鮮鋭化領域内（境界領域と処理領域Ｌ）のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１０（ａ）〜図１０（ｅ）の中央左側に示すような５通りになる。
【００５３】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にする。このような処理を基本空間フィルタに行うと、図１０（ａ）〜図１０（ｅ）の中央右側に示すような５通りになる。このようにして境界領域の上辺部分に用いる空間フィルタが算出される。処理の負担を軽減するためにフィルタ数を削減する場合、これらの空間フィルタを図１０右側に示すような簡略化した１つの空間フィルタにまとめてもよい。
【００５４】
境界領域の下辺部分、左辺部分および右辺部分に用いる空間フィルタについても同様に算出する。処理の負担を軽減するためにフィルタ数を削減する場合、それらも条件に応じて簡略化した１つの空間フィルタにまとめてもよい。
【００５５】
注目画素Ｐが境界領域を除く処理領域Ｌにある場合、上述した第１の実施形態の場合と同様に処理する。注目画素Ｐの座標を（Ｘ，Ｙ）とする。注目画素Ｐが処理領域Ｌの左上端部（０，０）にある場合、処理領域Ｌ用の図４のフィルタ１を用い、上端部（Ｘ，０）（ただし、０＜Ｘ＜Ｗ−１）にある場合、処理領域Ｌ用のフィルタ２を用い、右上端部（Ｗ−１，０）にある場合、処理領域Ｌ用のフィルタ３を用い、左端部（０，Ｙ）（ただし、０＜Ｙ＜Ｈ−１）にある場合、処理領域Ｌ用のフィルタ４を用い、右端部（Ｗ−１，Ｙ）（ただし、０＜Ｙ＜Ｈ−１）にある場合、処理領域Ｌ用のフィルタ５を用い、左下端部（０，Ｈ−１）にある場合、処理領域Ｌ用のフィルタ６を用い、下端部（Ｘ，Ｈ−１）（ただし、０＜Ｘ＜Ｗ−１）にある場合、処理領域Ｌ用のフィルタ７を用い、右下端部（Ｗ−１，Ｈ−１）にある場合、処理領域Ｌ用のフィルタ８を用い、それ以外の場合、処理領域Ｌ用の基本フィルタを用いる。
【００５６】
さらに、注目画素Ｐが境界領域であり、且つ、画面の端部である場合について説明する。このような場合も、注目画素Ｐが境界領域の上辺部分、下辺部分、左辺部分、右辺部分で、使用する空間フィルタを使い分ける。図１１〜図１６は、境界領域の上辺部分、すなわち、処理領域Ｕの一画素上の部分に用いる空間フィルタのフィルタ係数を決定する方法を説明する図である。また同様に、図の左側と中央左側の１〜８の数字は３×３のフィルタを求めるために付けたナンバーであり、注目画素Ｐは５に相当する。
【００５７】
図１１は、注目画素Ｐが境界領域の上辺部でさらにその領域内で左上端部と判定した場合に使用するフィルタを決定する方法である。実施形態１の図２での説明と同様に、３×３サイズの空間フィルタによってフィルタ処理することを考える。このような境界領域の上辺部分の空間フィルタ処理では、注目画素Ｐの位置は、図１１（ａ）左側に示すような処理領域Ｕの左上隅の画素の左上、図１１（ｂ）左側に示すような処理領域Ｕの左上隅の画素の上、の２通りが存在する。これらの各位置に用いる各々の空間フィルタのフィルタ係数を、以下のように決定する。
【００５８】
まず、鮮鋭化領域外（処理領域Ｕと画面外）の画素に、鮮鋭化領域内（境界領域と境界領域を除く処理領域Ｌ）の隣接画素のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１１（ａ）〜図１１（ｂ）の中央左側に示すような２通りになる。
【００５９】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にし、使用先の数が３つの場合、フィルタ係数を４倍にし、使用先の数が５つの場合、フィルタ係数を６倍にする。このような処理を基本空間フィルタに行うと、図１１（ａ）〜図１１（ｂ）の中央右側に示すような２通りになる。このようにして境界領域の上辺部分でさらにその領域内で左上端と判定した場合に用いる空間フィルタが算出される。処理の負担を軽減するためにフィルタ数を削減する場合、これらの空間フィルタを図１１右側に示すような簡略化した１つの空間フィルタにまとめてもよい。
【００６０】
図１２は、注目画素Ｐが境界領域の上辺部でさらにその領域内で右上端部と判定した場合に使用するフィルタを決定する方法である。上記と同様に、３×３サイズの空間フィルタによってフィルタ処理することを考える。このような境界領域の上辺部分の空間フィルタ処理では、注目画素Ｐの位置は、図１２（ａ）左側に示すような処理領域Ｕの右上隅の画素の上、図１２（ｂ）左側に示すような処理領域Ｕの右上隅の画素の右上、の２通りが存在する。これらの各位置に用いる各々の空間フィルタのフィルタ係数を、以下のように決定する。
【００６１】
まず、鮮鋭化領域外（処理領域Ｕと画面外）の画素に、鮮鋭化領域内（境界領域と境界領域を除く処理領域Ｌ）の隣接画素のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１２（ａ）〜図１２（ｂ）の中央左側に示すような２通りになる。
【００６２】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にし、使用先の数が３つの場合、フィルタ係数を４倍にし、使用先の数が５つの場合、フィルタ係数を６倍にする。このような処理を基本空間フィルタに行うと、図１２（ａ）〜図１２（ｂ）の中央右側に示すような２通りになる。このようにして境界領域の上辺部分でさらにその領域内で右上端部と判定した場合に用いる空間フィルタが算出される。処理の負担を軽減するためにフィルタ数を削減する場合、これらの空間フィルタを図１２右側に示すような簡略化した１つの空間フィルタにまとめてもよい。
【００６３】
図１３は、注目画素Ｐが境界領域の上辺部でさらにその領域内で上端部と判定した場合に使用するフィルタを決定する方法である。上記と同様に、３×３サイズの空間フィルタによってフィルタ処理することを考える。このような境界領域の上辺部分の空間フィルタ処理では、注目画素Ｐの位置は、図１３（ａ）左側に示すような処理領域Ｕの左上隅の画素の左上、図１３（ｂ）左側に示すような処理領域Ｕの左上隅の画素の上、図１３（ｅ）左側に示すような処理領域Ｕの右上隅の画素の右上、図１３（ｄ）左側に示すような処理領域Ｕの右上隅の画素の上、図１３（ｃ）左側に示すような処理領域Ｕの左上隅および右上隅以外の画素の上、の５通りが存在する。これらの各位置に用いる各々の空間フィルタのフィルタ係数を、以下のように決定する。
【００６４】
まず、鮮鋭化領域外（処理領域Ｕと画面外）の画素に、鮮鋭化領域内（境界領域と境界領域を除く処理領域Ｌ）の隣接画素のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１３（ａ）〜図１３（ｅ）の中央左側に示すような５通りになる。
【００６５】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にする。このような処理を基本空間フィルタに行うと、図１３（ａ）〜図１３（ｅ）の中央右側に示すような５通りになる。このようにして境界領域の上辺部分でさらにその領域内で上端部と判定した場合に用いる空間フィルタが算出される。処理の負担を軽減するためにフィルタ数を削減する場合、これらの空間フィルタを図１３右側に示すような簡略化した１つの空間フィルタにまとめてもよい。
【００６６】
図１４は、注目画素Ｐが境界領域の上辺部でさらにその領域内で左端部と判定した場合に使用するフィルタを決定する方法である。上記と同様に、３×３サイズの空間フィルタによってフィルタ処理することを考える。このような境界領域の上辺部分の空間フィルタ処理では、注目画素Ｐの位置は、図１４（ａ）左側に示すような処理領域Ｕの左上隅の画素の左上、図１４（ｂ）左側に示すような処理領域Ｕの左上隅の画素の上、の２通りが存在する。これらの各位置に用いる各々の空間フィルタのフィルタ係数を、以下のように決定する。
【００６７】
まず、鮮鋭化領域外（処理領域Ｕと画面外）の画素に、鮮鋭化領域内（境界領域と境界領域を除く処理領域Ｌ）の隣接画素のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１４（ａ）〜図１４（ｂ）の中央左側に示すような２通りになる。
【００６８】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にし、使用先の数が３つの場合、フィルタ係数を４倍にする。このような処理を基本空間フィルタに行うと、図１４（ａ）〜図１４（ｂ）の中央右側に示すような５通りになる。このようにして境界領域の上辺部分でさらにその領域内で左端部と判定した場合に用いる空間フィルタが算出される。これらの空間フィルタを図１４右側に示すような簡略化した１つの空間フィルタにまとめてもよい。
【００６９】
図１５は、注目画素Ｐが境界領域の上辺部でさらにその領域内で右端部と判定した場合に使用するフィルタを決定する方法である。上記と同様に、３×３サイズの空間フィルタによってフィルタ処理することを考える。このような境界領域の上辺部分の空間フィルタ処理では、注目画素Ｐの位置は、図１５（ａ）左側に示すような処理領域Ｕの右上隅の画素の上、図１５（ｂ）左側に示すような処理領域Ｕの右上隅の画素の右上、の２通りが存在する。これらの各位置に用いる各々の空間フィルタのフィルタ係数を、以下のように決定する。
【００７０】
まず、鮮鋭化領域外（処理領域Ｕと画面外）の画素に、鮮鋭化領域内（境界領域と境界領域を除く処理領域Ｌ）の隣接画素のデータを使用する。この際の使用元の優先順位は、使用先の画素の位置から鮮鋭化領域内（境界領域と処理領域Ｌ）のデータを優先的に選択し、優先順位の高い方から、水平方向に隣接する画素、垂直方向に隣接する画素、斜め方向に隣接する画素の順とする。水平方向に隣接する画素より垂直方向に隣接する画素を優先してもよいが、インターレース表示の場合、水平方向に隣接する画素を優先する方が有利である。このような処理を行うと、図１５（ａ）〜図１５（ｂ）の中央左側に示すような２通りになる。
【００７１】
次に、使用元になった画素のフィルタ係数に、それぞれの使用先のフィルタ係数を足し合わせる。鮮鋭化処理に用いる基本空間フィルタのフィルタ係数はすべて同じなので、使用先の数が１つの場合、フィルタ係数を２倍にし、使用先の数が２つの場合、フィルタ係数を３倍にし、使用先の数が３つの場合、フィルタ係数を４倍にする。このような処理を基本空間フィルタに行うと、図１５（ａ）〜図１５（ｂ）の中央右側に示すような２通りになる。このようにして境界領域の上辺部分でさらにその領域内で右端部と判定した場合に用いる空間フィルタが算出される。処理の負担を軽減するためにフィルタ数を削減する場合、これらの空間フィルタを図１５右側に示すような簡略化した１つの空間フィルタにまとめてもよい。
【００７２】
図１６は、注目画素Ｐが境界領域の上辺部でさらにその領域内で残りの領域と判定した場合に使用するフィルタを決定する方法であるが、図１０と同様のフィルタが求まる。処理の負担を軽減するためにフィルタ数を削減する場合、これらの空間フィルタを図１６右側に示すような簡略化した１つの空間フィルタにまとめてもよい。
【００７３】
図１７〜２０は、このような空間フィルタ処理の手順を示すフローチャートである。また条件に応じて空間フィルタを１つの空間フィルタにまとめた場合のフローチャートである。図１７のステップｓ１２０１で、注目画素Ｐが処理領域Ｕの内部であるかどうかを判定する。（Ｌ≦Ｘ≦Ｒ）ＡＮＤ（Ｔ≦Ｙ≦Ｂ）の場合、そうであると判定してステップｓ１２０２に進み、そうでない場合、図１８のフローチャートの部分に進む。図１７のフローチャートの残りの部分では、処理領域Ｕの処理を行う。ステップｓ１２０２で、注目画素Ｐが処理領域Ｕの上端かどうかを判定する。Ｙ＝Ｔの場合、そうであると判定してステップｓ１２０３に進み、そうでない場合、ステップｓ１２０４に進む。ステップｓ１２０３で、注目画素Ｐが処理領域Ｕの左端かどうかを判定する。Ｘ＝Ｌの場合、そうであると判定してステップｓ１２０５に進み、そうでない場合、ステップｓ１２０６に進む。ステップｓ１２０５で、注目画素Ｐは処理領域Ｕの左上端部にあると決定し、処理領域Ｕ用の図４のフィルタ１を用いて空間フィルタ処理を行う。ステップｓ１２０６で、注目画素Ｐが処理領域Ｕの右端であるかどうかを判定する。Ｘ＝Ｒの場合、そうであると判定してステップｓ１２０７に進み、そうでない場合、ステップｓ１２０８に進む。ステップｓ１２０７で、注目画素Ｐは処理領域Ｕの右上端部にあると決定し、処理領域Ｕ用の図４のフィルタ３を用いて空間フィルタ処理を行う。ステップｓ１２０８で、注目画素Ｐは処理領域Ｕの上端部にあると決定し、処理領域Ｕ用の図４のフィルタ２を用いて注目画素Ｐの空間フィルタ処理を行う。ステップｓ１２０４で、注目画素Ｐが処理領域Ｕの下端かどうかを判定する。Ｙ＝Ｂの場合、そうであると判定してステップｓ１２０９に進み、そうでない場合、ステップｓ１２１０に進む。ステップｓ１２０９で、注目画素Ｐが処理領域Ｕの左端かどうかを判定する。Ｘ＝Ｌの場合、そうであると判定してステップｓ１２１１に進み、そうでない場合、ステップｓ１２１２に進む。ステップｓ１２１１で、注目画素Ｐは処理領域Ｕの左下端部にあると決定し、処理領域Ｕ用の図４のフィルタ６を用いて空間フィルタ処理を行う。ステップｓ１２１２で、注目画素Ｐが処理領域Ｕの右端かどうかを判定する。Ｘ＝Ｒの場合、そうであると判定してステップｓ１２１３に進み、そうでない場合、ステップｓ１２１４に進む。ステップｓ１２１３で、注目画素Ｐは処理領域Ｕの右下端部にあると決定し、処理領域Ｕ用の図４のフィルタ８を用いて空間フィルタ処理を行う。ステップｓ１２１４で、注目画素Ｐは処理領域Ｕの下端部にあると決定し、処理領域Ｕ用の図４のフィルタ７を用いて空間フィルタ処理を行う。ステップｓ１２１０で、注目画素Ｐが処理領域Ｕの左端かどうかを判定する。Ｘ＝Ｌの場合、そうであると判定してステップｓ１２１５に進み、そうでない場合、ステップｓ１２１６に進む。ステップｓ１２１５で、注目画素Ｐは処理領域Ｕの左端部にあると決定し、処理領域Ｕ用の図４のフィルタ４を用いて空間フィルタ処理を行う。ステップｓ１２１６で、注目画素Ｐが処理領域Ｕの右端であるかどうかを判定する。Ｘ＝Ｒの場合、そうであると判定してステップｓ１２１７に進み、そうでない場合、ステップｓ１２１８に進む。ステップｓ１２１７で、注目画素Ｐは処理領域Ｕの右端部にあると決定し、処理領域Ｕ用の図４のフィルタ５を用いて空間フィルタ処理を行う。ステップｓ１２１８で、注目画素Ｐは処理領域Ｕの端部にはないと決定し、処理領域Ｕ用の図４の基本フィルタを用いて空間フィルタ処理を行う。
【００７４】
図１８のフローチャートの部分では、境界領域の上辺部および下辺部の処理を行う。ステップｓ１３０１で、注目画素Ｐが境界領域の上辺部かどうかを判定する。（Ｙ＝Ｔ−１）ＡＮＤ（Ｌ−１≦Ｘ≦Ｒ＋１）の場合、そうであると判定してステップｓ１３０２に進み、そうでない場合、ステップｓ１３０３に進む。ステップｓ１３０２で、注目画素Ｐが画面の上端かどうかを判定する。Ｙ＝０の場合、そうであると判定してステップｓ１３０４に進み、そうでない場合、ステップｓ１３０５に進む。ステップｓ１３０４で、注目画素Ｐが画面の左端かどうかを判定する。Ｘ＝０の場合、そうであると判定してステップｓ１３０６に進み、そうでない場合、ステップｓ１３０７に進む。ステップｓ１３０６で、注目画素Ｐは境界領域の上辺部にあり、且つ、画面の左上端部にあると決定し、処理領域Ｌ用の図４のフィルタ９を用いて空間フィルタ処理を行う。ステップｓ１３０７で、注目画素Ｐが画面の右端であるかどうかを判定する。Ｘ＝Ｗ−１の場合、そうであると判定してステップｓ１３０８に進み、そうでない場合、ステップｓ１３０９に進む。ステップｓ１３０８で、注目画素Ｐは境界領域の上辺部にあり、且つ、画面の右上端部にあると決定し、処理領域Ｌ用の図４のフィルタ１１を用いて空間フィルタ処理を行う。ステップｓ１３０９で、注目画素Ｐは境界領域の上辺部にあり、且つ、画面の上端部にあると決定し、処理領域Ｌ用の図４のフィルタ１０を用いて注目画素Ｐの空間フィルタ処理を行う。ステップｓ１３０５で、注目画素Ｐが画面の左端かどうかを判定する。Ｘ＝０の場合、そうであると判定してステップｓ１３１０に進み、そうでない場合、ステップｓ１３１１に進む。ステップｓ１３１０で、注目画素Ｐは境界領域の上辺部にあり、且つ、画面の左端部にあると決定し、処理領域Ｌ用の図４のフィルタ６を用いて空間フィルタ処理を行う。ステップｓ１３１１で、注目画素Ｐが画面の右端かどうかを判定する。Ｘ＝Ｗ−１の場合、そうであると判定してステップｓ１３１２に進み、そうでない場合、ステップｓ１３１３に進む。ステップｓ１３１２で、注目画素Ｐは境界領域の上辺部にあり、且つ、画面の右端部にあると決定し、処理領域Ｌ用の図４のフィルタ８を用いて空間フィルタ処理を行う。ステップｓ１３１３で、注目画素Ｐは境界領域の上辺部にあり、且つ、画面の端部にはないと決定し、処理領域Ｌ用の図４のフィルタ７を用いて空間フィルタ処理を行う。ステップｓ１３０３で、注目画素Ｐが境界領域の下辺部かどうかを判定する。（Ｙ＝Ｂ＋１）ＡＮＤ（Ｌ−１≦Ｘ≦Ｒ＋１）の場合、そうであると判定してステップｓ１３１４に進み、そうでない場合、注目画素Ｐは境界領域の上辺部でも下辺部でもないので図１９のフローチャートの部分に進む。ステップｓ１３１４で、注目画素Ｐが画面の下端かどうかを判定する。Ｙ＝Ｈ−１の場合、そうであると判定してステップｓ１３１５に進み、そうでない場合、ステップｓ１３１６に進む。ステップｓ１３１５で、注目画素Ｐが画面の左端かどうかを判定する。Ｘ＝０の場合、そうであると判定してステップｓ１３１７に進み、そうでない場合、ステップｓ１３１８に進む。ステップｓ１３１７で、注目画素Ｐは境界領域の下辺部にあり、且つ、画面の左下端部にあると決定し、処理領域Ｌ用の図４のフィルタ９を用いて空間フィルタ処理を行う。ステップｓ１３１８で、注目画素Ｐが画面の右端であるかどうかを判定する。Ｘ＝Ｗ−１の場合、そうであると判定してステップｓ１３１９に進み、そうでない場合、ステップｓ１３２０に進む。ステップｓ１３１９で、注目画素Ｐは境界領域の下辺部にあり、且つ、画面の右下端部にあると決定し、処理領域Ｌ用の図４のフィルタ１１を用いて空間フィルタ処理を行う。ステップｓ１３２０で、注目画素Ｐは境界領域の下辺部にあり、且つ、画面の下端部にあると決定し、処理領域Ｌ用の図４のフィルタ１０を用いて注目画素Ｐの空間フィルタ処理を行う。ステップｓ１３１６で、注目画素Ｐが画面の左端かどうかを判定する。Ｘ＝０の場合、そうであると判定してステップｓ１３２１に進み、そうでない場合、ステップｓ１３２２に進む。ステップｓ１３２１で、注目画素Ｐは境界領域の下辺部にあり、且つ、画面の左端部にあると決定し、処理領域Ｌ用の図４のフィルタ１を用いて空間フィルタ処理を行う。ステップｓ１３２２で、注目画素Ｐが画面の右端かどうかを判定する。Ｘ＝Ｗ−１の場合、そうであると判定してステップｓ１３２３に進み、そうでない場合、ステップｓ１３２４に進む。ステップｓ１３２３で、注目画素Ｐは境界領域の下辺部にあり、且つ、画面の右端部にあると決定し、処理領域Ｌ用の図４のフィルタ３を用いて空間フィルタ処理を行う。ステップｓ１３２４で、注目画素Ｐは境界領域の下辺部にあり、且つ、画面の端部にはないと決定し、処理領域Ｌ用の図４のフィルタ２を用いて空間フィルタ処理を行う。
【００７５】
図１９のフローチャートの部分では、境界領域の左辺部および右辺部の処理を行う。ステップｓ１４０１で、注目画素Ｐが境界領域の左辺部かどうかを判定する。（Ｘ＝Ｌ−１）ＡＮＤ（Ｔ≦Ｙ≦Ｂ）の場合、そうであると判定してステップｓ１４０２に進み、そうでない場合、ステップｓ１４０３に進む。ステップｓ１４０２で、注目画素Ｐが画面の左端かどうかを判定する。Ｘ＝０の場合、そうであると判定してステップｓ１４０４に進み、そうでない場合、ステップｓ１４０５に進む。ステップｓ１４０４で、注目画素Ｐが画面の上端かどうかを判定する。Ｙ＝０の場合、そうであると判定してステップｓ１４０６に進み、そうでない場合、ステップｓ１４０７に進む。ステップｓ１４０６で、注目画素Ｐは境界領域の左辺部にあり、且つ、画面の左上端部にあると決定し、処理領域Ｌ用の図４のフィルタ１４を用いて空間フィルタ処理を行う。ステップｓ１４０７で、注目画素Ｐが画面の下端であるかどうかを判定する。Ｙ＝Ｈ−１の場合、そうであると判定してステップｓ１４０８に進み、そうでない場合、ステップｓ１４０９に進む。ステップｓ１４０８で、注目画素Ｐは境界領域の左辺部にあり、且つ、画面の左下端部にあると決定し、処理領域Ｌ用の図４のフィルタ１２を用いて空間フィルタ処理を行う。ステップｓ１４０９で、注目画素Ｐは境界領域の左辺部にあり、且つ、画面の左端部にあると決定し、処理領域Ｌ用の図４のフィルタ１３を用いて注目画素Ｐの空間フィルタ処理を行う。ステップｓ１４０５で、注目画素Ｐが画面の上端かどうかを判定する。Ｙ＝０の場合、そうであると判定してステップｓ１４１０に進み、そうでない場合、ステップｓ１４１１に進む。ステップｓ１４１０で、注目画素Ｐは境界領域の左辺部にあり、且つ、画面の上端部にあると決定し、処理領域Ｌ用の図４のフィルタ３を用いて空間フィルタ処理を行う。ステップｓ１４１１で、注目画素Ｐが画面の下端かどうかを判定する。Ｙ＝Ｈ−１の場合、そうであると判定してステップｓ１４１２に進み、そうでない場合、ステップｓ１４１３に進む。ステップｓ１４１２で、注目画素Ｐは境界領域の左辺部にあり、且つ、画面の下端部にあると決定し、処理領域Ｌ用の図４のフィルタ８を用いて空間フィルタ処理を行う。ステップｓ１４１３で、注目画素Ｐは境界領域の左辺部にあり、且つ、画面の端部にはないと決定し、処理領域Ｌ用の図４のフィルタ５を用いて空間フィルタ処理を行う。ステップｓ１４０３で、注目画素Ｐが境界領域の右辺部かどうかを判定する。（Ｘ＝Ｒ＋１）ＡＮＤ（Ｔ≦Ｙ≦Ｂ）の場合、そうであると判定してステップｓ１４１４に進み、そうでない場合、注目画素Ｐは境界領域の左辺部でも右辺部でもないので図２０のフローチャートの部分に進む。ステップｓ１４１４で、注目画素Ｐが画面の右端かどうかを判定する。Ｘ＝Ｗ−１の場合、そうであると判定してステップｓ１４１５に進み、そうでない場合、ステップｓ１４１６に進む。ステップｓ１４１５で、注目画素Ｐが画面の上端かどうかを判定する。Ｙ＝０の場合、そうであると判定してステップｓ１４１７に進み、そうでない場合、ステップｓ１４１８に進む。ステップｓ１４１７で、注目画素Ｐは境界領域の右辺部にあり、且つ、画面の右上端部にあると決定し、処理領域Ｌ用の図４のフィルタ１４を用いて空間フィルタ処理を行う。ステップｓ１４１８で、注目画素Ｐが画面の下端であるかどうかを判定する。Ｙ＝Ｈ−１の場合、そうであると判定してステップｓ１４１９に進み、そうでない場合、ステップｓ１４２０に進む。ステップｓ１４１９で、注目画素Ｐは境界領域の右辺部にあり、且つ、画面の右下端部にあると決定し、処理領域Ｌ用の図４のフィルタ１２を用いて空間フィルタ処理を行う。ステップｓ１４２０で、注目画素Ｐは境界領域の右辺部にあり、且つ、画面の右端部にあると決定し、処理領域Ｌ用の図４のフィルタ１３を用いて注目画素Ｐの空間フィルタ処理を行う。ステップｓ１４１６で、注目画素Ｐが画面の上端かどうかを判定する。Ｙ＝０の場合、そうであると判定してステップｓ１４２１に進み、そうでない場合、ステップｓ１４２２に進む。ステップｓ１４２１で、注目画素Ｐは境界領域の右辺部にあり、且つ、画面の上端部にあると決定し、処理領域Ｌ用の図４のフィルタ１を用いて空間フィルタ処理を行う。ステップｓ１４２２で、注目画素Ｐが画面の下端かどうかを判定する。Ｙ＝Ｈ−１の場合、そうであると判定してステップｓ１４２３に進み、そうでない場合、ステップｓ１４２４に進む。ステップｓ１４２３で、注目画素Ｐは境界領域の右辺部にあり、且つ、画面の下端部にあると決定し、処理領域Ｌ用の図４のフィルタ６を用いて空間フィルタ処理を行う。ステップｓ１４２４で、注目画素Ｐは境界領域の右辺部にあり、且つ、画面の端部にはないと決定し、処理領域Ｌ用の図４のフィルタ４を用いて空間フィルタ処理を行う。
【００７６】
図２０のフローチャートの部分では、境界領域以外の処理領域Ｌの処理を行う。ステップｓ１５０１で、注目画素Ｐが画面の上端かどうかを判定する。Ｙ＝０の場合、そうであると判定してステップｓ１５０２に進み、そうでない場合、ステップｓ１５０３に進む。ステップｓ１５０２で、注目画素Ｐが画面の左端かどうかを判定する。Ｘ＝０の場合、そうであると判定してステップｓ１５０４に進み、そうでない場合、ステップｓ１５０５に進む。ステップｓ１５０４で、注目画素Ｐは画面の左上端部にあると決定し、処理領域Ｌ用の図４のフィルタ１を用いて空間フィルタ処理を行う。ステップｓ１５０５で、注目画素Ｐが画面の右端であるかどうかを判定する。Ｘ＝Ｗ−１の場合、そうであると判定してステップｓ１５０６に進み、そうでない場合、ステップｓ１５０７に進む。ステップｓ１５０６で、注目画素Ｐは画面の右上端部にあると決定し、処理領域Ｌ用の図４のフィルタ３を用いて空間フィルタ処理を行う。ステップｓ１５０７で、注目画素Ｐは画面の上端部にあると決定し、処理領域Ｌ用の図４のフィルタ２を用いて注目画素Ｐの空間フィルタ処理を行う。ステップｓ１５０３で、注目画素Ｐが画面の下端かどうかを判定する。Ｙ＝Ｈ−１の場合、そうであると判定してステップｓ１５０８に進み、そうでない場合、ステップｓ１５０９に進む。ステップｓ１５０８で、注目画素Ｐが画面の左端かどうかを判定する。Ｘ＝０の場合、そうであると判定してステップｓ１５１０に進み、そうでない場合、ステップｓ１５１１に進む。ステップｓ１５１０で、注目画素Ｐは画面の左下端部にあると決定し、処理領域Ｌ用の図４のフィルタ６を用いて空間フィルタ処理を行う。ステップｓ１５１１で、注目画素Ｐが画面の右端かどうかを判定する。Ｘ＝Ｗ−１の場合、そうであると判定してステップｓ１５１２に進み、そうでない場合、ステップｓ１５１３に進む。ステップｓ１５１２で、注目画素Ｐは画面の右下端部にあると決定し、処理領域Ｌ用の図４のフィルタ８を用いて空間フィルタ処理を行う。ステップｓ１５１３で、注目画素Ｐは画面の下端部にあると決定し、処理領域Ｌ用の図４のフィルタ７を用いて空間フィルタ処理を行う。ステップｓ１５０９で、注目画素Ｐが画面の左端かどうかを判定する。Ｘ＝０の場合、そうであると判定してステップｓ１５１４に進み、そうでない場合、ステップｓ１５１５に進む。ステップｓ１５１４で、注目画素Ｐは画面の左端部にあると決定し、処理領域Ｌ用の図４のフィルタ４を用いて空間フィルタ処理を行う。ステップｓ１５１５で、注目画素Ｐが画面の右端であるかどうかを判定する。Ｘ＝Ｗ−１の場合、そうであると判定してステップｓ１５１６に進み、そうでない場合、ステップｓ１５１７に進む。ステップｓ１５１６で、注目画素Ｐは画面の右端部にあると決定し、処理領域Ｌ用の図４のフィルタ５を用いて空間フィルタ処理を行う。ステップｓ１５１７で、注目画素Ｐは画面の端部にはないと決定し、処理領域Ｌ用の図４の基本フィルタを用いて空間フィルタ処理を行う。
【００７７】
第４の実施形態として、２つの領域に対して別々の鮮鋭化処理を行うが、画面領域に鮮鋭化処理を行わない領域も存在している場合について説明する。図２１は、第４の実施形態において処理する画面を示す図である。この図に示す処理領域Ｕと処理領域Ｌに対して別々の空間フィルタ処理を行う。処理領域Ｕと処理領域Ｌの最小サイズは３×３画素とした場合を例に説明する。また、注目画素Ｐが境界領域であり、且つ、画面の端部である場合も考慮した場合である。処理領域Ｕと処理領域Ｌは重なり合うことが可能であり、その場合は処理領域Ｕに対する空間フィルタ処理を優先する。処理領域Ｕの左上隅の座標を（ＵＬ，ＵＴ）とし、右下隅の座標を（ＵＲ，ＵＢ）とする。処理領域Ｌの左上隅の座標を（ＬＬ，ＬＴ）とし、右下隅の座標を（ＬＲ，ＬＢ）とする。処理領域Ｕの一画素外側の領域を境界領域とする。基本的な考え方は、第３の実施形態の場合と同じである。第３の実施形態の画面端部を、処理領域Ｌに置き換えればよい。ただし、処理領域Ｕの一画素外側の境界領域においてフィルタを算出すると、第３の実施形態よりも考慮すべきフィルタの通りが増加する。例えば、第３の実施形態において、注目画素Ｐが境界領域の上辺部でさらにその領域内で左上端部と判定した場合に使用するフィルタを決定する場合、図１１（ａ）〜図１１（ｂ）の中央左側に示すような２通りになるが、第４の実施形態では図２２（ａ）〜図２２（ｅ）の中央左側に示すような５通りになる。処理の負担を軽減するためにフィルタ数を削減する場合、これらの空間フィルタを図２２右側に示すような簡略化した１つの空間フィルタにまとめてもよい。また、注目画素Ｐが境界領域の上辺部の場合、第３の実施形態では左上端部、上端部、右上端部、左端部、右端部、残りの部の６通りを考慮したが、第４の実施形態ではその領域内で左上端部、上端部、右上端部、左端部、右端部、左下端部、下端部、右下端部、残りの部、の全てに関して考慮する必要がある。つまり左下端部、下端部、右下端部に関してもフィルタを決定する必要がある。図２３〜図２５にそれぞれ注目画素Ｐが境界領域の上辺部でさらにその領域内で左下端部、下端部、右下端部であると判定した場合に使用するフィルタを示す。これらは全て１通りのフィルタとなる。ここで図１４〜図１６の右側に示すような簡略化した１つの空間フィルタにまとめている場合、左下端部は図１４の左端部のフィルタと同様、下端部は図１６の残りの部のフィルタと同様、右下端部は図１５の右端部のフィルタと同様であるため、簡略化した１つの空間フィルタにまとめている場合は、より複雑化した鮮鋭化処理を行う第４の実施形態においても第３の実施形態と同程度の処理負担で鮮鋭化処理を行うことができる。
【００７８】
図２６〜２９は、このような空間フィルタ処理の手順を示すフローチャートである。また条件に応じて空間フィルタを１つの空間フィルタにまとめた場合のフローチャートである。図２６のステップｓ１７０１で、注目画素Ｐが処理領域Ｕの内部であるかどうかを判定する。（ＵＬ≦Ｘ≦ＵＲ）ＡＮＤ（ＵＴ≦Ｙ≦ＵＢ）の場合、そうであると判定してステップｓ１７０２に進み、そうでない場合、図２７のフローチャートの部分に進む。図２６のフローチャートの残りの部分では、処理領域Ｕの処理を行う。ステップｓ１７０２で、注目画素Ｐが処理領域Ｕの上端かどうかを判定する。Ｙ＝ＵＴの場合、そうであると判定してステップｓ１７０３に進み、そうでない場合、ステップｓ１７０４に進む。ステップｓ１７０３で、注目画素Ｐが処理領域Ｕの左端かどうかを判定する。Ｘ＝ＵＬの場合、そうであると判定してステップｓ１７０５に進み、そうでない場合、ステップｓ１７０６に進む。ステップｓ１７０５で、注目画素Ｐは処理領域Ｕの左上端部にあると決定し、処理領域Ｕ用の図４のフィルタ１を用いて空間フィルタ処理を行う。ステップｓ１７０６で、注目画素Ｐが処理領域Ｕの右端であるかどうかを判定する。Ｘ＝ＵＲの場合、そうであると判定してステップｓ１７０７に進み、そうでない場合、ステップｓ１７０８に進む。ステップｓ１７０７で、注目画素Ｐは処理領域Ｕの右上端部にあると決定し、処理領域Ｕ用の図４のフィルタ３を用いて空間フィルタ処理を行う。ステップｓ１７０８で、注目画素Ｐは処理領域Ｕの上端部にあると決定し、処理領域Ｕ用の図４のフィルタ２を用いて注目画素Ｐの空間フィルタ処理を行う。ステップｓ１７０４で、注目画素Ｐが処理領域Ｕの下端かどうかを判定する。Ｙ＝ＵＢの場合、そうであると判定してステップｓ１７０９に進み、そうでない場合、ステップｓ１７１０に進む。ステップｓ１７０９で、注目画素Ｐが処理領域Ｕの左端かどうかを判定する。Ｘ＝ＵＬの場合、そうであると判定してステップｓ１７１１に進み、そうでない場合、ステップｓ１７１２に進む。ステップｓ１７１１で、注目画素Ｐは処理領域Ｕの左下端部にあると決定し、処理領域Ｕ用の図４のフィルタ６を用いて空間フィルタ処理を行う。ステップｓ１７１２で、注目画素Ｐが処理領域Ｕの右端かどうかを判定する。Ｘ＝ＵＲの場合、そうであると判定してステップｓ１７１３に進み、そうでない場合、ステップｓ１７１４に進む。ステップｓ１７１３で、注目画素Ｐは処理領域Ｕの右下端部にあると決定し、処理領域Ｕ用の図４のフィルタ８を用いて空間フィルタ処理を行う。ステップｓ１７１４で、注目画素Ｐは処理領域Ｕの下端部にあると決定し、処理領域Ｕ用の図４のフィルタ７を用いて空間フィルタ処理を行う。ステップｓ１７１０で、注目画素Ｐが処理領域Ｕの左端かどうかを判定する。Ｘ＝ＵＬの場合、そうであると判定してステップｓ１７１５に進み、そうでない場合、ステップｓ１７１６に進む。ステップｓ１７１５で、注目画素Ｐは処理領域Ｕの左端部にあると決定し、処理領域Ｕ用の図４のフィルタ４を用いて空間フィルタ処理を行う。ステップｓ１７１６で、注目画素Ｐが処理領域Ｕの右端であるかどうかを判定する。Ｘ＝ＵＲの場合、そうであると判定してステップｓ１７１７に進み、そうでない場合、ステップｓ１７１８に進む。ステップｓ１７１７で、注目画素Ｐは処理領域Ｕの右端部にあると決定し、処理領域Ｕ用の図４のフィルタ５を用いて空間フィルタ処理を行う。ステップｓ１７１８で、注目画素Ｐは処理領域Ｕの端部にはないと決定し、処理領域Ｕ用の図４の基本フィルタを用いて空間フィルタ処理を行う。
【００７９】
図２７のフローチャートの部分では、境界領域の上辺部および下辺部の処理を行う。ステップｓ１８００で、注目画素Ｐが処理領域Ｌの内部であるかどうかを判定する。（ＬＬ≦Ｘ≦ＬＲ）ＡＮＤ（ＬＴ≦Ｙ≦ＬＢ）の場合、そうであると判定してステップｓ１８０１に進み、そうでない場合、鮮鋭化処理を行わないので処理を終了する。ステップｓ１８０１で、注目画素Ｐが境界領域の上辺部かどうかを判定する。（Ｙ＝ＵＴ−１）ＡＮＤ（ＵＬ−１≦Ｘ≦ＵＲ＋１）の場合、そうであると判定してステップｓ１８０２に進み、そうでない場合、ステップｓ１８０３に進む。ステップｓ１８０２で、注目画素Ｐが処理領域Ｌの上端かどうかを判定する。Ｙ＝ＬＴの場合、そうであると判定してステップｓ１８０４に進み、そうでない場合、ステップｓ１８０５に進む。ステップｓ１８０４で、注目画素Ｐが処理領域Ｌの左端かどうかを判定する。Ｘ＝ＬＬの場合、そうであると判定してステップｓ１８０６に進み、そうでない場合、ステップｓ１８０７に進む。ステップｓ１８０６で、注目画素Ｐは境界領域の上辺部にあり、且つ、処理領域Ｌの左上端部にあると決定し、処理領域Ｌ用の図４のフィルタ９を用いて空間フィルタ処理を行う。ステップｓ１８０７で、注目画素Ｐが処理領域Ｌの右端であるかどうかを判定する。Ｘ＝ＬＲの場合、そうであると判定してステップｓ１８０８に進み、そうでない場合、ステップｓ１８０９に進む。ステップｓ１８０８で、注目画素Ｐは境界領域の上辺部にあり、且つ、処理領域Ｌの右上端部にあると決定し、処理領域Ｌ用の図４のフィルタ１１を用いて空間フィルタ処理を行う。ステップｓ１８０９で、注目画素Ｐは境界領域の上辺部にあり、且つ、処理領域Ｌの上端部にあると決定し、処理領域Ｌ用の図４のフィルタ１０を用いて注目画素Ｐの空間フィルタ処理を行う。ステップｓ１８０５で、注目画素Ｐが処理領域Ｌの左端かどうかを判定する。Ｘ＝ＬＬの場合、そうであると判定してステップｓ１８１０に進み、そうでない場合、ステップｓ１８１１に進む。ステップｓ１８１０で、注目画素Ｐは境界領域の上辺部にあり、且つ、処理領域Ｌの左端部にあると決定し、処理領域Ｌ用の図４のフィルタ６を用いて空間フィルタ処理を行う。ステップｓ１８１１で、注目画素Ｐが処理領域Ｌの右端かどうかを判定する。Ｘ＝ＬＲの場合、そうであると判定してステップｓ１８１２に進み、そうでない場合、ステップｓ１８１３に進む。ステップｓ１８１２で、注目画素Ｐは境界領域の上辺部にあり、且つ、処理領域Ｌの右端部にあると決定し、処理領域Ｌ用の図４のフィルタ８を用いて空間フィルタ処理を行う。ステップｓ１８１３で、注目画素Ｐは境界領域の上辺部にあり、且つ、処理領域Ｌの端部にはないと決定し、処理領域Ｕ用の図４のフィルタ７を用いて空間フィルタ処理を行う。ステップｓ１８０３で、注目画素Ｐが境界領域の下辺部かどうかを判定する。（Ｙ＝ＵＢ＋１）ＡＮＤ（ＵＬ−１≦Ｘ≦ＵＲ＋１）の場合、そうであると判定してステップｓ１８１４に進み、そうでない場合、注目画素Ｐは境界領域の上辺部でも下辺部でもないので図２８のフローチャートの部分に進む。ステップｓ１８１４で、注目画素Ｐが処理領域Ｌの下端かどうかを判定する。Ｙ＝ＬＢの場合、そうであると判定してステップｓ１８１５に進み、そうでない場合、ステップｓ１８１６に進む。ステップｓ１８１５で、注目画素Ｐが処理領域Ｌの左端かどうかを判定する。Ｘ＝ＬＬの場合、そうであると判定してステップｓ１８１７に進み、そうでない場合、ステップｓ１８１８に進む。ステップｓ１８１７で、注目画素Ｐは境界領域の下辺部にあり、且つ、処理領域Ｌの左下端部にあると決定し、処理領域Ｌ用の図４のフィルタ９を用いて空間フィルタ処理を行う。ステップｓ１８１８で、注目画素Ｐが処理領域Ｌの右端であるかどうかを判定する。Ｘ＝ＬＲの場合、そうであると判定してステップｓ１８１９に進み、そうでない場合、ステップｓ１８２０に進む。ステップｓ１８１９で、注目画素Ｐは境界領域の下辺部にあり、且つ、処理領域Ｌの右下端部にあると決定し、処理領域Ｌ用の図４のフィルタ１１を用いて空間フィルタ処理を行う。ステップｓ１８２０で、注目画素Ｐは境界領域の下辺部にあり、且つ、処理領域Ｌの下端部にあると決定し、処理領域Ｌ用の図４のフィルタ１０を用いて注目画素Ｐの空間フィルタ処理を行う。ステップｓ１８１６で、注目画素Ｐが処理領域Ｌの左端かどうかを判定する。Ｘ＝ＬＬの場合、そうであると判定してステップｓ１８２１に進み、そうでない場合、ステップｓ１８２２に進む。ステップｓ１８２１で、注目画素Ｐは境界領域の下辺部にあり、且つ、処理領域Ｌの左端部にあると決定し、処理領域Ｌ用の図４のフィルタ１を用いて空間フィルタ処理を行う。ステップｓ１８２２で、注目画素Ｐが処理領域Ｌの右端かどうかを判定する。Ｘ＝ＬＲの場合、そうであると判定してステップｓ１８２３に進み、そうでない場合、ステップｓ１８２４に進む。ステップｓ１８２３で、注目画素Ｐは境界領域の下辺部にあり、且つ、処理領域Ｌの右端部にあると決定し、処理領域Ｌ用の図４のフィルタ３を用いて空間フィルタ処理を行う。ステップｓ１８２４で、注目画素Ｐは境界領域の下辺部にあり、且つ、処理領域Ｌの端部にはないと決定し、処理領域Ｌ用の図４のフィルタ２を用いて空間フィルタ処理を行う。
【００８０】
図２８のフローチャートの部分では、境界領域の左辺部および右辺部の処理を行う。ステップｓ１９０１で、注目画素Ｐが境界領域の左辺部かどうかを判定する。（Ｘ＝ＵＬ−１）ＡＮＤ（ＵＴ≦Ｙ≦ＵＢ）の場合、そうであると判定してステップｓ１９０２に進み、そうでない場合、ステップｓ１９０３に進む。ステップｓ１９０２で、注目画素Ｐが処理領域Ｌの左端かどうかを判定する。Ｘ＝ＬＬの場合、そうであると判定してステップｓ１９０４に進み、そうでない場合、ステップｓ１９０５に進む。ステップｓ１９０４で、注目画素Ｐが画面の上端かどうかを判定する。Ｙ＝ＬＴの場合、そうであると判定してステップｓ１９０６に進み、そうでない場合、ステップｓ１９０７に進む。ステップｓ１９０６で、注目画素Ｐは境界領域の左辺部にあり、且つ、画面の左上端部にあると決定し、処理領域Ｌ用の図４のフィルタ１４を用いて空間フィルタ処理を行う。ステップｓ１９０７で、注目画素Ｐが画面の下端であるかどうかを判定する。Ｙ＝ＬＢの場合、そうであると判定してステップｓ１９０８に進み、そうでない場合、ステップｓ１９０９に進む。ステップｓ１９０８で、注目画素Ｐは境界領域の左辺部にあり、且つ、画面の左下端部にあると決定し、処理領域Ｌ用の図４のフィルタ１２を用いて空間フィルタ処理を行う。ステップｓ１９０９で、注目画素Ｐは境界領域の左辺部にあり、且つ、画面の左端部にあると決定し、処理領域Ｌ用の図４のフィルタ１３を用いて注目画素Ｐの空間フィルタ処理を行う。ステップｓ１９０５で、注目画素Ｐが画面の上端かどうかを判定する。Ｙ＝ＬＴの場合、そうであると判定してステップｓ１９１０に進み、そうでない場合、ステップｓ１９１１に進む。ステップｓ１９１０で、注目画素Ｐは境界領域の左辺部にあり、且つ、画面の上端部にあると決定し、処理領域Ｌ用の図４のフィルタ３を用いて空間フィルタ処理を行う。ステップｓ１９１１で、注目画素Ｐが画面の下端かどうかを判定する。Ｙ＝ＬＢの場合、そうであると判定してステップｓ１９１２に進み、そうでない場合、ステップｓ１９１３に進む。ステップｓ１９１２で、注目画素Ｐは境界領域の左辺部にあり、且つ、画面の下端部にあると決定し、処理領域Ｌ用の図４のフィルタ８を用いて空間フィルタ処理を行う。ステップｓ１９１３で、注目画素Ｐは境界領域の左辺部にあり、且つ、画面の端部にはないと決定し、処理領域Ｌ用の図４のフィルタ５を用いて空間フィルタ処理を行う。ステップｓ１９０３で、注目画素Ｐが境界領域の右辺部かどうかを判定する。（Ｘ＝ＵＲ＋１）ＡＮＤ（ＵＴ≦Ｙ≦ＵＢ）の場合、そうであると判定してステップｓ１９１４に進み、そうでない場合、注目画素Ｐは境界領域の左辺部でも右辺部でもないので図２９のフローチャートの部分に進む。ステップｓ１９１４で、注目画素Ｐが画面の右端かどうかを判定する。Ｘ＝ＬＲの場合、そうであると判定してステップｓ１９１５に進み、そうでない場合、ステップｓ１９１６に進む。ステップｓ１９１５で、注目画素Ｐが画面の上端かどうかを判定する。Ｙ＝ＬＴの場合、そうであると判定してステップｓ１９１７に進み、そうでない場合、ステップｓ１９１８に進む。ステップｓ１９１７で、注目画素Ｐは境界領域の右辺部にあり、且つ、画面の右上端部にあると決定し、処理領域Ｌ用の図４のフィルタ１４を用いて空間フィルタ処理を行う。ステップｓ１９１８で、注目画素Ｐが画面の下端であるかどうかを判定する。Ｙ＝ＬＢの場合、そうであると判定してステップｓ１９１９に進み、そうでない場合、ステップｓ１９２０に進む。ステップｓ１９１９で、注目画素Ｐは境界領域の右辺部にあり、且つ、画面の右下端部にあると決定し、処理領域Ｌ用の図４のフィルタ１２を用いて空間フィルタ処理を行う。ステップｓ１９２０で、注目画素Ｐは境界領域の右辺部にあり、且つ、画面の右端部にあると決定し、処理領域Ｌ用の図４のフィルタ１３を用いて注目画素Ｐの空間フィルタ処理を行う。ステップｓ１９１６で、注目画素Ｐが画面の上端かどうかを判定する。Ｙ＝ＬＴの場合、そうであると判定してステップｓ１９２１に進み、そうでない場合、ステップｓ１９２２に進む。ステップｓ１９２１で、注目画素Ｐは境界領域の右辺部にあり、且つ、画面の上端部にあると決定し、処理領域Ｌ用の図４のフィルタ１を用いて空間フィルタ処理を行う。ステップｓ１９２２で、注目画素Ｐが画面の下端かどうかを判定する。Ｙ＝ＬＢの場合、そうであると判定してステップｓ１９２３に進み、そうでない場合、ステップｓ１９２４に進む。ステップｓ１９２３で、注目画素Ｐは境界領域の右辺部にあり、且つ、画面の下端部にあると決定し、処理領域Ｌ用の図４のフィルタ６を用いて空間フィルタ処理を行う。ステップｓ１９２４で、注目画素Ｐは境界領域の右辺部にあり、且つ、画面の端部にはないと決定し、処理領域Ｌ用の図４のフィルタ４を用いて空間フィルタ処理を行う。
【００８１】
図２９のフローチャートの部分では、境界領域以外の処理領域Ｌの処理を行う。ステップｓ２００１で、注目画素Ｐが処理領域Ｌの上端かどうかを判定する。Ｙ＝ＬＴの場合、そうであると判定してステップｓ２００２に進み、そうでない場合、ステップｓ２００３に進む。ステップｓ２００２で、注目画素Ｐが処理領域Ｌの左端かどうかを判定する。Ｘ＝ＬＬの場合、そうであると判定してステップｓ２００４に進み、そうでない場合、ステップｓ２００５に進む。ステップｓ２００４で、注目画素Ｐは処理領域Ｌの左上端部にあると決定し、処理領域Ｌ用の図４のフィルタ１を用いて空間フィルタ処理を行う。ステップｓ２００５で、注目画素Ｐが処理領域Ｌの右端であるかどうかを判定する。Ｘ＝ＬＲの場合、そうであると判定してステップｓ２００６に進み、そうでない場合、ステップｓ２００７に進む。ステップｓ２００６で、注目画素Ｐは処理領域Ｌの右上端部にあると決定し、処理領域Ｌ用の図４のフィルタ３を用いて空間フィルタ処理を行う。ステップｓ２００７で、注目画素Ｐは処理領域Ｌの上端部にあると決定し、処理領域Ｌ用の図４のフィルタ２を用いて注目画素Ｐの空間フィルタ処理を行う。ステップｓ２００３で、注目画素Ｐが処理領域Ｌの下端かどうかを判定する。Ｙ＝ＬＢの場合、そうであると判定してステップｓ２００８に進み、そうでない場合、ステップｓ２００９に進む。ステップｓ２００８で、注目画素Ｐが処理領域Ｌの左端かどうかを判定する。Ｘ＝ＬＲの場合、そうであると判定してステップｓ２０１０に進み、そうでない場合、ステップｓ２０１１に進む。ステップｓ２０１０で、注目画素Ｐは処理領域Ｌの左下端部にあると決定し、処理領域Ｌ用の図４のフィルタ６を用いて空間フィルタ処理を行う。ステップｓ２０１１で、注目画素Ｐが処理領域Ｌの右端かどうかを判定する。Ｘ＝ＬＲの場合、そうであると判定してステップｓ２０１２に進み、そうでない場合、ステップｓ２０１３に進む。ステップｓ２０１２で、注目画素Ｐは処理領域Ｌの右下端部にあると決定し、処理領域Ｌ用の図４のフィルタ８を用いて空間フィルタ処理を行う。ステップｓ２０１３で、注目画素Ｐは処理領域Ｌの下端部にあると決定し、処理領域Ｌ用の図４のフィルタ７を用いて空間フィルタ処理を行う。ステップｓ２００９で、注目画素Ｐが処理領域Ｌの左端かどうかを判定する。Ｘ＝ＬＬの場合、そうであると判定してステップｓ２０１４に進み、そうでない場合、ステップｓ２０１５に進む。ステップｓ２０１４で、注目画素Ｐは処理領域Ｌの左端部にあると決定し、処理領域Ｌ用の図４のフィルタ４を用いて空間フィルタ処理を行う。ステップｓ２０１５で、注目画素Ｐが処理領域Ｌの右端であるかどうかを判定する。Ｘ＝ＬＲの場合、そうであると判定してステップｓ２０１６に進み、そうでない場合、ステップｓ２０１７に進む。ステップｓ２０１６で、注目画素Ｐは処理領域Ｌの右端部にあると決定し、処理領域Ｌ用の図４のフィルタ５を用いて空間フィルタ処理を行う。ステップｓ２０１７で、注目画素Ｐは処理領域Ｌの端部にはないと決定し、処理領域Ｌ用の図４の基本フィルタを用いて空間フィルタ処理を行う。
【００８２】
図３７は、本発明の表示装置の構成の一例を示すブロック図である。表示装置１は、テレビジョン受像機など、種々の表示装置に適用可能であるが、携帯電話等の携帯通信端末により適している。
【００８３】
表示装置１６は、操作部１７と、制御部１８と、レジスタ１９と、映像信号処理部２０と表示部２６とを備える。映像信号処理部２０には、ラインバッファ２１、計算部２２、判定部２３、選択制御部２４、変換処理部２５を備える。操作部１７は、本体装置やリモコン装置に設けられている操作ボタンやダイヤル等である。表示装置１６が携帯通信端末である場合、筐体に設けられたテンキーなどのボタンとなる。制御部１８は、ＣＰＵを含み、表示装置１６の他の各部分を制御して本発明に係わる映像信号の処理を司るものであるが、表示装置１６の他の機能、例えば、表示装置１６が携帯通信端末である場合、通信に係わる処理なども制御するものであってもよい。レジスタ１９は、操作部１７によって設定されるパラメータの値を、制御部１８を経て格納する。例えば図１のゲイン調整４やしきい判定部３用のパラメータである。ゲイン調整パラメータの値を調整すれば画像の鮮鋭度を強める（シャープ化）鮮鋭化や画像の鮮鋭度を弱める（ぼかし）鮮鋭化が可能である。しきい値判定パラメータも設定し格納する。映像信号処理部２０は、上述した実施の形態のような本発明の映像信号処理装置であり、例えば、乗算器や加算器などを組み合わせたハードウェアとして実装される。ラインバッファ２１は入力映像信号を一時的に格納する。計算部２２は、入力映像信号の数を計算すると共に、注目画素の位置情報を計算する。例えば、注目画素の処理が可能となる入力映像信号がラインバッファ２１へ格納された位置情報を計算する。判定部２３は、計算部２２において計算された位置情報を元に、注目画素が映像信号のどの部分にあるかを判定する。選択制御部２４はフィルタを選択する。つまり判定部２３にて判定された情報に応じてフィルタを選択する。変換処理部２５で映像信号を変換処理する。入力映像信号とラインバッファ２１に格納している映像信号と選択制御部２４において選択されたフィルタとレジスタ１９に格納されたしきい値判定パラメータとゲイン調整パラメータを用いて、変換処理部２５で映像信号を変換する。例えば、ゲイン調整パラメータの値を調整すれば画像の鮮鋭度を強める（シャープ化）鮮鋭化や画像の鮮鋭度を弱める（ぼかし）鮮鋭化が可能である。表示部２６は、実際に映像を表示する部分であり、表示装置１６が携帯通信端末である場合、液晶画面である。
【００８４】
ユーザは、操作部１７によって、しきい値判定パラメータ、ゲイン調整パラメータを設定できる。この際、例えば、表示部２６のような携帯通信端末の液晶画面に操作画面を表示し、所定のキーによって鮮鋭度の強弱を実際の変換画像を見て確認しながら操作するようにしてもよい。複数の鮮鋭化領域を任意に設定できるようにしてもよい。
【００８５】
本発明の映像信号処理装置において、上述した変換を、ハードウェア又はソフトウェアのいずれによっても実現してもよいが、リアルタイムでの処理を考慮すると、ハードウェアによる実装が好ましい。
【００８６】
携帯通信端末において、変換する画像とは、操作画面や、通信によって受信された、又は、カメラやメモリカード等によって取り込まれた静止画像、映像、カメラ画像、ウェブ画面、ネットワークを経由した情報等である。
【００８７】
図３０に本発明を携帯通信端末として実現した一構成例を示す。携帯通信端末１０は、電波塔１１からの放送やネットワーク１２からの情報をアンテナ１３などにより受信し、携帯通信端末内に内蔵した本発明の映像信号処理装置で映像処理し、表示部１４に表示している。ここでは、放送として地上デジタル放送を表示部１４の左側に表示し、情報としてインターネット経由に接続されるリンクを右側に表示している。映像信号処理装置は絶えず変化する映像においても調整が可能である。ユーザは表示部１４の映像を見ながら操作部１５を操作し、画像の所定の領域を選択して鮮鋭化処理を行うことができる。さらに、複数の領域を選択して、別々の鮮鋭化処理を行うことができる。これにより、例えば、左側の地上デジタル放送の鮮鋭度と右側の文字が表示された領域の鮮鋭度を個別に設定できる。また、異なる種類や明るさの映像であっても、本発明の映像信号処理装置はその境界付近の映像を乱れることなく表示させることなどが可能となる。
【００８８】
上記実施例以外に、鮮鋭化領域が３つ以上で、且つ、重なっている場合にも、本発明の映像信号処理装置へデータを繰り返し入力したり内部でデータをコピーしたりする必要がないためコントローラの制御を複雑にする必要はなく、ラインバッファを増やす必要もない。
【産業上の利用可能性】
【００８９】
本発明は、携帯電話機などの携帯端末をはじめとする種々の表示装置における鮮鋭化処理に利用可能である。
【図面の簡単な説明】
【００９０】
【図１】鮮鋭化処理の概念図である。
【図２】画像端部に用いる空間フィルタのフィルタ係数を決定する方法を説明する図である。
【図３】座標系の定義を説明する図である。
【図４】フィルタパターンの定義を説明する図である。
【図５】本発明の第１の実施形態において処理する画面を示す図である。
【図６】本発明の第１の実施形態における空間フィルタ処理の手順を示すフローチャートである。
【図７】本発明の第２の実施形態において処理する画面を示す図である。
【図８】本発明の第２の実施形態における空間フィルタ処理の手順を示すフローチャートである。
【図９】第３の実施形態において処理する画面を示す図である。
【図１０】本発明の第３の実施形態において境界領域の上辺部分であり、境界領域が画面の端部に無い場合に用いる空間フィルタのフィルタ係数を決定する方法を説明する図である。
【図１１】本発明の第３の実施形態において境界領域の上辺部分であり、且つ、境界領域が画面の左上端部である部分に用いる空間フィルタのフィルタ係数を決定する方法を説明する図である。
【図１２】本発明の第３の実施形態において境界領域の上辺部分であり、且つ、境界領域が画面の右上端部である部分に用いる空間フィルタのフィルタ係数を決定する方法を説明する図である。
【図１３】本発明の第３の実施形態において境界領域の上辺部分であり、且つ、境界領域が画面の上端部である部分に用いる空間フィルタのフィルタ係数を決定する方法を説明する図である。
【図１４】本発明の第３の実施形態において境界領域の上辺部分であり、且つ、境界領域が画面の左端部である部分に用いる空間フィルタのフィルタ係数を決定する方法を説明する図である。
【図１５】本発明の第３の実施形態において境界領域の上辺部分であり、且つ、境界領域が画面の右端部である部分に用いる空間フィルタのフィルタ係数を決定する方法を説明する図である。
【図１６】本発明の第３の実施形態において境界領域の上辺部分であり、且つ、境界領域が画面の端部以外である部分に用いる空間フィルタのフィルタ係数を決定する方法を説明する図である。
【図１７】本発明の第３の実施形態における空間フィルタ処理の手順を示すフローチャートである。
【図１８】本発明の第３の実施形態における空間フィルタ処理の手順を示すフローチャートである。
【図１９】本発明の第３の実施形態における空間フィルタ処理の手順を示すフローチャートである。
【図２０】本発明の第３の実施形態における空間フィルタ処理の手順を示すフローチャートである。
【図２１】本発明の第４の実施形態において処理する画面を示す図である。
【図２２】本発明の第４の実施形態において境界領域の上辺部分であり、且つ、境界領域が鮮鋭化領域外の左上端部である部分に用いる空間フィルタのフィルタ係数を決定する方法を説明する図である。
【図２３】本発明の第４の実施形態において境界領域の上辺部分であり、且つ、境界領域が鮮鋭化領域外の左下端部である部分に用いる空間フィルタのフィルタ係数を決定する方法を説明する図である。
【図２４】本発明の第４の実施形態において境界領域の上辺部分であり、且つ、境界領域が鮮鋭化領域外の下端部である部分に用いる空間フィルタのフィルタ係数を決定する方法を説明する図である。
【図２５】本発明の第４の実施形態において境界領域の上辺部分であり、且つ、境界領域が鮮鋭化領域外の右下端部である部分に用いる空間フィルタのフィルタ係数を決定する方法を説明する図である。
【図２６】本発明の第４の実施形態における空間フィルタ処理の手順を示すフローチャートである。
【図２７】本発明の第４の実施形態における空間フィルタ処理の手順を示すフローチャートである。
【図２８】本発明の第４の実施形態における空間フィルタ処理の手順を示すフローチャートである。
【図２９】本発明の第４の実施形態における空間フィルタ処理の手順を示すフローチャートである。
【図３０】本発明を携帯通信端末として実現した一構成例である。
【図３１】従来の鮮鋭化処理における画像端部の補間処理を説明する図である。
【図３２】従来の鮮鋭化処理装置の概念を示すブロック図である。
【図３３】画像メモリの一部領域のみを鮮鋭化する場合を説明する図である。
【図３４】ラインバッファメモリに対する入出力を説明する図である。
【図３５】ラインバッファメモリに対する入出力を説明する図である。
【図３６】鮮鋭化する領域が複数あり、かつそれぞれが重なっている場合を説明する図である。
【図３７】本発明の表示装置の構成の一例を示すブロック図である。
【符号の説明】
【００９１】
１  空間フィルタ
２  減算器
３  しきい値判定部
４  ゲイン調整部
５  乗算器
６  加算器
１０  携帯通信端末
１１  電波塔
１２  ネットワーク
１３  アンテナ
１４  表示部
１５  操作部
１６  表示装置
１７  操作部
１８  制御部
１９  レジスタ
２０  映像信号処理部
２１  ラインバッファ
２２  計算部
２３  判定部
２４  選択制御部
２５  変換処理部
２６  表示部
【図１】
2008129808.tif 000003
【図２】
2008129808.tif 000004
【図３】
2008129808.tif 000005
【図４】
2008129808.tif 000006
【図５】
2008129808.tif 000007
【図６】
2008129808.tif 000008
【図７】
2008129808.tif 000009
【図８】
2008129808.tif 000010
【図９】
2008129808.tif 000011
【図１０】
2008129808.tif 000012
【図１１】
2008129808.tif 000013
【図１２】
2008129808.tif 000014
【図１３】
2008129808.tif 000015
【図１４】
2008129808.tif 000016
【図１５】
2008129808.tif 000017
【図１６】
2008129808.tif 000018
【図１７】
2008129808.tif 000019
【図１８】
2008129808.tif 000020
【図１９】
2008129808.tif 000021
【図２０】
2008129808.tif 000022
【図２１】
2008129808.tif 000023
【図２２】
2008129808.tif 000024
【図２３】
2008129808.tif 000025
【図２４】
2008129808.tif 000026
【図２５】
2008129808.tif 000027
【図２６】
2008129808.tif 000028
【図２７】
2008129808.tif 000029
【図２８】
2008129808.tif 000030
【図２９】
2008129808.tif 000031
【図３０】
2008129808.tif 000032
【図３１】
2008129808.tif 000033
【図３２】
2008129808.tif 000034
【図３３】
2008129808.tif 000035
【図３４】
2008129808.tif 000036
【図３５】
2008129808.tif 000037
【図３６】
2008129808.tif 000038
【図３７】
2008129808.tif 000039